(57)【要約】【課題】足の膝付近の形状に合わせて形成したコイルバネを補助枠内に装着したものを膝に取り付けることによって膝の疾患を治すとともに、高齢者等の膝の関節を適切な弾性で保護し、安定させるバネ式サポータを提供する。【解決手段】上部調節具２を介して環状に形成した帯状の下部固定具３を、中腹部を外側に湾曲させた複数本の補助バネ５を介して上下に連結することによって補助枠Ａを構成し、これとは別に中間部を外側へ膨らむように形成したコイルバネ６を前記補助枠Ａの内側に装着したことを特徴とする。【選択図】        図１
2004267708.tif 000002
【特許請求の範囲】
【請求項１】
上部調節具２を介して環状に形成した帯状の上部固定具１と下部調整具４を介して環状に形成した帯状の下部固定具３を、中腹部を外側に湾曲させた複数本の補助バネ５を介して上下に連結することによって補助枠Ａを構成し、これとは別に中間部を外側へ膨らむように形成したコイルバネ６を前記補助枠Ａの内側に装着したことを特徴とするバネ式サポータ。
【発明の詳細な説明】
【０００１】
【発明の属する技術分野】
本発明は足の膝痛等の疾患の際に使用するサポータに関するもので、詳しくは足の膝付近の形状に合わせて形成したコイルバネを補助枠内に装着したものを、膝に取り付けることによって膝の疾患を治すとともに、高齢者等の膝の関節を適切な弾性で保護し、安定させるバネ式サポータに関するものである。
【０００２】
【従来の技術】
従来、膝に限らず人体の関節に使用されるサポータは各種各様、数多く提供されていて、特に膝に関するサポータは以下に列記したようなものが提供されている。
実願平２−７８１６１
（人体の関節部の疾患を静める円筒状のサポータ）
実願平２−１２７７２３
（伸縮性を備えた保温用サポータ）
実願平５−３３８６６
（関節の屈伸運動を阻害しないようなサポータ）
実願平６−５５５５
（遠赤外線、磁力線を利用して新陳代謝を促進させるサポータ）
特願平１１−２３１８３３
（膝、足首、肘等の靭帯や筋肉のの補強をするもので、テーピングと同じ効効果のサポータ）
【０００３】
【発明が解決しようとする課題】
しかし、これらの布材又は弾性布材からなるサポータは膝に密着させて固定するため通気性が悪く、膝の屈伸が不自由（殆どできない）であるばかりでなく、圧迫するため血行が阻害される欠点があった。
又、布製であるため汗を吸収して汚れやすいので頻繁に取り替えなければならず、従って予備のサポータを用意しておかなければならなかった。
本発明は膝痛等の疾患の際に、膝付近の形状に合わせて形成したコイルバネを補助枠内に装着したものを膝に取り付けるこによって膝の疾患を治すとともに、高齢者等の膝の関節を適切なバネの弾性で保護し、安定させるハネ式サポータを提供することを目的とする。
【０００４】
【課題を解決するための手段】
上記目的を達成するため本発明は、上部調節具４を介して環状に形成した帯状の上部固定具１と、下部調整具５を介して環状に形成した帯状の下部固定具２を、中間部を外側に湾曲させた複数本の補助バネ３を介して上下に連結することによって補助枠Ａを構成し、これとは別に中間部を外側へ膨らむように形成したコイルバネ６を前期補助枠Ａの内側に装着したものである。
【０００５】
【発明の実施の形態】
以下、本発明の実施の形態を図面に基づいて説明する。
【０００６】
図１は本発明の斜視図、図２は本発明のコイルバネの斜視図、図３はコイルバネの横断面図、図４は本発明の補助枠の斜視図、図５は本発明の使用状態を示した図で、図中の符号Ａは補助枠、Ｂは足を示す。
【０００７】
１は上部固定具で、特定の材質のものではないが、厚めの布材又は軟質合成樹脂等の肌触りの良いもが望ましい。
上部固定具１は所定幅の帯状で、足の膝のやや上方部分の太さより長いものであることが必要で、この上部固定具１の両端部には上部調節部２が設けられていて、着用する人の足の太さによって調節できるようになっている。
【０００８】
上部調節部２は特定のものではないが、雌雄の面ファスナを利用することによってどのような太さの足にも対応できるよう調節可能になっている。
図面に示したように上部固定具１の両端部を重ね合わせた際の接触する面に雄ファスナａ、雌ファスナｂをそれぞれ設けることによって長さを自在に調節することができるようになっている。
【０００９】
３は下部固定具で、前期上部固定具１と略同様の所定幅の帯状で、足の膝のやや下方部分の太さより長いものであることが必要で、この下部固定具３の下部調節部４が設けられていて着用する人の足の太さによって調節できるようになっている。
【００１０】
下部調節部４は前記上部調節部２と同様に雌雄の面ファスナを利用することによってどのような太さの足にも対応できるよう調節可能になっており、下部固定具４の両端部を重ね合わせた際の接触する面に雄ファスナａ、雌ファスナｂをそれぞれ設けることによって長さを自在に調節出来るようになっている。
【００１１】
５は上部固定具１と下部固定具３の間に介在させた細い鋼線からなり、図２に示したように、外側へくの字状に折り曲げられた複数本の補助バネで、この補助バネ５複数本を上部固定具１と下部固定具３の間に所定間隔をおいて介在させることによって補助枠Ａが構成される。
補助バネ５は冷たい感触を避けるためにゴム、又は軟質合成樹脂、布材等の被覆材が複設され、上端部は上部固定具１に、下端部は下部固定具３にそれぞれ固定されている。
【００１１】
６はコイルバネで、このコイルバネ６は前記補助枠Ａ内に装着されるように、保助枠Ａの形状に合わせ、上端部が上部固定具１と同径状に形成され、中腹部が補助バネ５の湾曲に合わせて外側に膨らむように形成され、下端部が補助枠Ａの下部固定具３と同径状に形成されている。
コイルバネ６は図４に示したようにゴム、軟質合成樹脂、布材等によって被覆され、金属独特の冷たい感触は取り除かれている。
【００１２】
上記の構成からなる本発明を実際に使用する場合は次のようになる。
図５ａに示したようにコイルバネ６を膝の部分に、上部固定具１が膝の上方にあって下部固定具３が膝の下方に位置するように装着した後、コイルバネ６を覆設するように補助枠Ａを取り付ける。
補助枠Ａを膝に取り付ける場合、上部調節部２、下部調節部４の係合（雄、雌ファスナの係合）を解除し、コイルバネ６を覆うように取り付けた後、ファスナを係合させて固定するが、固定手段は面ファスナに限定されるものではない。
補助枠Ａを取り付けた状態で膝を折り曲げると、図５ｂに示したようにコイルバネ６の膝の上方に当たる部分が後方へ水平に移動することによって復元力が生じて膝の筋力が補強される。
【００１３】
【発明の効果】
上記のように構成された本発明のバネ式サホータを実際に使用した場合、次のような効果がある。
ａ．膝を曲げた際、コイルバネの上部半分が後方へ水平に押し出されることによるバネの復元力で膝を伸ばそうとする力が働くので膝痛その他の疾患を抱える人にとって膝の屈伸が非常に楽になる。
ｂ．着用は従来のサポータのように巻き付けたり、締め付けたりするものではないので圧迫感が無い。
ｃ．取り付けが簡単なので、高齢者でも他人の手を煩わすことなく着脱することが出来る。
ｄ．バネはゴム材や布材等でコーテングしてあるので感触が柔らかく、違和感は全く無い。
ｅ．鋼製のバネで構成され、構造が簡単であるので安価に提供できる。
【図面の簡単な説明】
【図１】本発明の斜視図である。
【図２】本発明の補助枠の斜視図である。
【図３】本発明のコイルバネの斜視図である。
【図４】コイルバネの横断面図である。
【図５】本発明の使用状態を示した図である。
【符号の説明】
１  上部固定具
２  上部調節部
３  下部固定具
４  下部調節部
５  補助バネ
６  コイルバネ
６ａ  鋼線
６ｂ  被覆材
Ａ  補助枠
Ｂ  足
【図１】
2004267708.tif 000003
【図２】
2004267708.tif 000004
【図３】
2004267708.tif 000005
【図４】
2004267708.tif 000006
【図５】
2004267708.tif 000007